(57)【特許請求の範囲】
【請求項１】
同一コース内に複数の大きさの編目が編成された靴下であって、
前記複数の大きさの編目は、第１の編目と、当該第１の編目よりも編目が小さい第２の編目とを含み、
前記第２の編目は編目一目単位で選択的に配置され、
前記編目を形成する編糸の表糸の番手は、綿番手換算で１０番手より細い番手であり、
前記編目を形成する編糸の裏糸は、捲縮加工を施した７０〜１１０デニールの合成繊維であり、
前記第１の編目と前記第２の編目との大きさの差は、０．１〜２．０ｍｍであり、
前記第１の編目のみから成る第１の度目領域と第２の編目のみから成る第２の度目領域との伸度の差は、２０〜１００％であり、
前記靴下は、周辺よりも緊締力が強い緊締部を備え、
前記緊締部は、前記第２の度目領域によって形成されている靴下。
【請求項２】
前記表糸の番手は、綿番手換算で３０〜８０番手である、請求項１に記載の靴下。
【請求項３】
着用者の少なくとも足甲、足裏、及び足首を覆う本体部を備え、
前記緊締部は、前記足甲から前記足裏を通り前記足首へ至る内巻きのらせん状に配置され、
前記足甲から内側を経由して前記足裏にかけて配置された第１の緊締部と、
足首腹側において外側から内側へ斜め上方に配置され、前記足首腹側を面状に圧迫する第２の緊締部とを有する、請求項１又は２に記載の靴下。
【請求項４】
着用者の少なくとも足甲、足裏、及び足首を覆う本体部を備え、
前記緊締部は、足首腹側から足甲を経由して第５趾の付け根まで配置されている、請求項１又は２に記載の靴下。
【請求項５】
前記複数の大きさの編目は、第１の編目よりも小さい編目であり、且つ前記第２の編目よりも大きい編目である第３の編目を含む、請求項１〜４の何れか一項に記載の靴下。
【発明の詳細な説明】
【技術分野】
【０００１】
本発明は、丸編機によって複数の編目が編成された編地（度目調整した編み製品）に関する。
【背景技術】
【０００２】
従来、レッグウェアなどの衣料用筒状編地において、周辺よりも伸縮性が低い着圧領域が形成されたものが知られている。例えば、下記特許文献１に記載の靴下では、タック編みなどを採用して編目構造そのものを周辺と変化させることで、着圧領域が形成されている。
【０００３】
下記特許文献２，３に記載の靴下では、ゴムや柄糸などの伸縮性素材を編地本体に挿入することにより、着圧領域が形成されている。下記特許文献４の靴下では、編地本体の度目の大きさを大小に変化させて、小さい方の度目を周単位で配置することで、着圧領域が形成されている。
【０００４】
また、下記特許文献５には、足部の少なくとも一部に、同一コース内に２種以上の異なる編目長を有する編目部分が存在することにより、ウェール方向に着圧差が設けられたパンティストッキングが開示されている。
【先行技術文献】
【特許文献】
【０００５】
【特許文献１】特開２０００−３０３２０７号公報
【特許文献２】実開昭６１−４３２０８号公報
【特許文献３】特開２０１１−７４５１９号公報
【特許文献４】実開昭６２−１５３２７号公報
【特許文献５】特開平９−１９５１０４号公報
【発明の概要】
【発明が解決しようとする課題】
【０００６】
しかしながら上記の特許文献に記載の従来技術には、解決すべき課題がある。特許文献１に記載の従来技術では、着圧領域にタック編みが採用されていると、着圧領域が周辺の編地本体よりも厚く硬くなる。そのため、着圧領域が周辺と比較して、厚く硬くなることを防止して、着用感の向上を図ることが求められている。
【０００７】
特許文献２，３に記載の従来技術では、カットボス柄の端末糸が肌面に表出するため、異物が存在していると着用者が違和感を覚えることがある。そのため、着用感の向上が求められている。
【０００８】
特許文献４に記載の従来技術では、周単位でしか着圧領域を形成することができなかったため、着圧すべきではない箇所まで不要に着圧されていた。
【０００９】
特許文献５に記載の従来技術では、ステッチカムの作用を用いて、度目の大小を変更するため、ステッチカムの動作を編目一目（針１本）単位で正確に作用させることができなかった。編目一目単位で度目制御された編地が求められている。
【００１０】
本発明は、このような課題を解決するために成されたものであり、丸編機のシンカーの選別駆動により度目の大小を編目一目単位で選別し、円周上の同一コース内に複数の大きさの度目が形成された編み製品を提供することを目的とする。また、このような度目調整された編み製品において、編目一目単位で度目制御され、編目の大きさを変化させることで着圧領域が形成されていると共に、着用感の向上が図られた編み製品を提供することを目的とする。
【課題を解決するための手段】
【００１１】
本発明は、往復運動する編針間にシンカーを出入りさせて円周上の同一コース内に複数の大きさの編目を編成することができる丸編機によって編成された度目調整した編み製品であって、前記複数の大きさの編目は、第１の編目と、当該第１の編目よりも編目が小さい第２の編目とを含み、前記丸編機は、前記第２の編目を編目一目単位で選択的に配置可能であり、前記シリンダーにおける前記編針の配置密度は、円周方向の長さ１インチ当たり１４〜２４本以下であり、前記編目を形成する編糸の表糸の番手は、綿番手換算で１０番手より細い番手であり、前記編目を形成する編糸の裏糸は、７０デニール以下のポリウレタンを芯糸とするカバリングヤーン、又は捲縮加工を施した１４０デニール以下の合成繊維であり、前記第１の編目と前記第２の編目との大きさの差は、０．１〜２．０ｍｍであり、前記第１の編目のみから成る第１の度目領域と第２の編目のみから成る第２の度目領域の伸度の差は、２０〜１００％である度目調整した編み製品を提供する。
【００１２】
このような構成の度目調整した編み製品によれば、第１の編目（度目大）と、第２の編目（度目小）とを編目一目単位で選択的に配置することが可能である。また、このような度目調整した編み製品によれば、第１の編目及び第２の編目を、円周上の同一コース内に選択的に配置することで、所望の位置に、着圧領域を形成することができる。
【００１３】
本発明の編み製品では、編目の大小を変化させることで、着圧領域を形成することができるため、着圧領域が周辺と比較して硬くなることを防止することができる。本発明の編み製品は、一目単位で、選択的に度目の大小を変えることができるため、着圧領域の範囲を的確に設定することができる。そのため、着圧しない方がよい部分を避けるように着圧領域を設定することができる。
【００１４】
裏糸は、１０〜４０デニールのポリウレタンを芯糸とするカバリングヤーンでもよい。また、裏糸は、捲縮加工を施した７０〜１１０デニールの合成繊維でもよい。また、表糸の番手は、綿番手換算で３０〜８０番手とすることができる。
【００１５】
また、度目調整した編み製品は、周辺よりも緊締力が強い緊締部を備え、緊締部は、第２の度目領域によって形成されている、構成とすることができる。
【００１６】
また、度目調整した編み製品は、着用者の少なくとも足甲、足裏、及び足首を覆う本体部を備え、前記緊締部は、前記足甲から前記足裏を通り前記足首へ至る内巻きのらせん状に配置され、前記足甲から内側を経由して前記足裏にかけて配置された第１の緊締部と、足首腹側において外側から内側へ斜め上方に配置され、前記足首腹側を面状に圧迫する第２の緊締部とを有する、構成でもよい。
【００１７】
また、度目調整した編み製品は、着用者の少なくとも足甲、足裏、及び足首を覆う本体部を備え、前記緊締部は、足首腹側から足甲を経由して第５趾の付け根まで配置されている、構成としてもよい。
【００１８】
また、度目調整した編み製品は、複数の大きさの編目は、第１の編目よりも小さい編目であり、且つ前記第２の編目よりも大きい編目である第３の編目を含む、構成でもよい。このような構成の編み製品によれば、第２の編目（度目大）及び第３の編目（度目中）によって着圧領域を形成することが可能である。これにより、第２の編目及び第３の編目によって着圧領域内に、着圧差を設けることが可能であると共に、模様を形成することが可能である。
【００１９】
また、本発明は、往復運動する編針間にシンカーを出入りさせて円周上の同一コース内に複数の大きさの編目を編成することができる丸編機によって編成された度目調整した編み製品であって、前記複数の大きさの編目は、第１の編目と、当該第１の編目よりも編目が小さい第２の編目とを含み、前記丸編機は、前記第２の編目を編目一目単位で選択的に配置可能であり、前記シリンダーにおける前記編針の配置密度は、円周方向の長さ１インチ当たり１４〜２４本以下であり、前記編目を形成する編糸の表糸の番手は、綿番手換算で１０番手より細い番手であり、前記第１の編目と前記第２の編目との大きさの差は、０．１〜２．０ｍｍであり、前記第１の編目のみから成る第１の度目領域と第２の編目のみから成る第２の度目領域の伸度の差は、２０〜１００％である、度目調整した編み製品を提供する。
【００２０】
このような構成の度目調整した編み製品によれば、第１の編目（度目大）と、第２の編目（度目小）とを編目一目単位で選択的に配置することが可能である。また、このような度目調整した編み製品によれば、第１の編目及び第２の編目を、円周上の同一コース内に選択的に配置することで、所望の位置に、着圧領域を形成することができる。
【００２１】
本発明の編み製品では、編目の大小を変化させることで、着圧領域を形成することができるため、着圧領域が周辺と比較して厚く硬くなることを防止することができる。本発明の編み製品は、一目単位で、選択的に度目の大小を変えることができるため、着圧領域の範囲を的確に設定することができる。そのため、着圧しない方がよい部分を避けるように着圧領域を設定することができる。
【００２２】
また、表糸の番手は、綿番手換算で３０〜８０番手とすることができる。
【発明の効果】
【００２３】
本発明によれば、度目調整した編み製品において、丸編機のシンカーの選別駆動により度目の大小を編目一目単位で選別し、円周上の同一コース内に複数の大きさの度目が形成された編み製品を提供することができる。また、本発明によれば、編目一目単位で度目制御され、編目の大きさを変化させることで着圧領域が形成されていると共に、着用感の向上が図られた編み製品を提供することができる。
【図面の簡単な説明】
【００２４】
【図１】本発明の第１実施形態に係る編地を示す図である。
【図２】シンカー（２段）の高低差を示す図である。
【図３】本発明の第２実施形態に係る編地を示す図である。
【図４】シンカー（３段）の高低差を示す図である。
【図５】本発明の第３実施形態に係る編地を示す図である。
【図６】本発明の第１実施例に係る着圧ソックス（右足用）を示す図である。
【図７】本発明の第２実施例に係る着圧ソックス（右足用）を示す図である。
【図８】本発明の第３実施例に係るつまづき防止靴下を示す図である。
【発明を実施するための形態】
【００２５】
以下、図面を参照して本発明の好適な実施形態について詳細に説明する。なお、各図面において同一又は相当の部分に対しては同一の符号を付すこととする。図面の寸法比率は、説明のものと必ずしも一致していない。また、説明中、「上」、「下」等の方向を示す語は、図面に示された状態に基づいた便宜的な語である。
【００２６】
（編地、大小（２段）度目）
まず、第１実施形態に係る編地（度目調整した編地）について説明する。図１は、本発明の第１実施形態に係る編地１００を示す図である。図１に示す編地１００は、複数の大きさの編目を備えている。図１に示す編地１００は、複数の編目として、第１の編目１０１と、第１の編目１０１よりも度目（編目の大きさ）が小さい第２の編目１０２とを有する。編地１００は、第１の編目１０１からなる第１の度目領域１５１と、第２の編目１０２からなる第２の度目領域１５２と有し、第１の度目領域１５１と第２の度目領域１５２との伸度の差は、２０〜１００％である。
【００２７】
編地１００の編糸９１（の表糸）の番手は、綿番手換算で１０番手より細い番手である。第１の編目１０１と第２の編目１０２との大きさの差（Ｌ１０１−Ｌ１０２）は、０．１〜２．０ｍｍである。図１では、第１の編目１０１の大きさをＬ１０１と示し、第２の編目１０１の大きさをＬ１０２と示している。なお、編糸９１の番手は、綿番手換算で３０〜８０番手であることが好ましい。
【００２８】
（編機）
次に、本発明の度目調整した編地１００を編成する丸編機について説明する。編地１００を編成する丸編機は、往復運動する編針間に、シンカー１２０を出入りさせて複数の大きさの編目を編成するものである。そして、編地１００の第２の編目１０２は、シンカーの選別駆動により編糸がシンカーに乗ることで、形成されている。シンカー１２０を選別駆動させることで、度目が制御される。
【００２９】
例えば、靴下用編機（丸編機）として、釜径４インチ、針数２４０本を備えたシングルシリンダーＫ式編機を使用することができる。釜径（編針を保持するシリンダーの外径）は、４インチに限定されず、目的とする衣料用筒状編地の用途に応じて任意に選択することができる。シリンダーにおける編針の配置密度は、円周方向の長さ１インチ当たり１４〜２４本以下である。
【００３０】
（シンカーの選別駆動による度目制御：２段）
第１の編目１０１の度目は、図２（ａ）に示すように、“編糸９１とシンカー１２０（第１シンカートップ１２２）との接点Ｐ１”から“編糸９１と編針１１との接点Ｐ０”までの距離Ｙ１に対応している。第２の編目１０２の度目は、図２（ｂ）に示すように、“編糸９１とシンカー１２０（第２シンカートップ１２３）との接点Ｐ２”から“編糸９１と編針１１との接点Ｐ０”までの距離Ｙ２に対応している。すなわち、前進・後退するシンカー１２０を個別に選別することで、シンカー１２０上の編糸９１が乗る位置を変化させ、編目一目毎に度目の大・小を任意の位置に選択的に配置することができる。
【００３１】
第２の編目を形成する場合には、電子制御可能なアクチュエータ（不図示）を用いて、シンカー１２０を個別に選別して、選別されたシンカー１２０をカムによって前方へ押し出すことで、編糸９１を第２シンカートップ１２３上に配置させる。第１の編目を形成する場合には、アクチュエータを作動させず、シンカー１２０の前方への押出しを行わないことで、編糸９１を第１シンカートップ１２２上に配置させる。
【００３２】
度目が異なる編目を一目単位で配置すると、他の部分より度目が小さい部分は目が詰まるため、編糸がより接近して配置される。これにより、編地では、度目の大きい編目と小さい編目が任意に配置され、第１の編目からなる第１の度目領域と第２の編目からなる第２の度目領域とにおいて、伸度の差を設けることができる。編目が小さい第２の編目は、編目が大きい第１の編目よりも伸度が低く、緊締力が強くなる。第２の編目からなる第２の度目領域は、後述する着圧領域に適用される。
【００３３】
また、編糸の素材は、ナイロンやポリエステルなどの合成繊維に捲縮加工を施した多少伸縮性のある糸（ウーリー加工糸）であることが望ましい。
【００３４】
このような編地（度目調整した編地）では、編目一目を最小単位として、任意の大きさ・位置に部分的な着圧領域を形成することができる。
【００３５】
例えば、つぼや筋肉など、部分的に押圧すべき箇所に着圧領域を形成することができるため、付加価値の高い編地製品を実現することができる。着圧を作用させたくない部位には、第１の度目領域を形成し、着圧を作用させたい部位には、第２の度目領域を形成する。これにより、例えば身体医学に基づき本来押圧すべきではない箇所を着圧しないようにすることができる。
【００３６】
また、着圧領域が編目の構造のままであるため、ニッティングの伸度を備え、ニット製品としての着用感を保ちつつ、張力の差により部分着圧効果を奏することができる。
【００３７】
また、編地（生地）の厚みが一定であるため、着用者が、異物が存在していると違和感を覚えることがない。また、挿入糸などが、肌側にはみだすことがないため、肌の皮脂を傷つけるおそれがない。また、不要な部位に着圧が作用することを防止することができるため、着用者の交感神経を不用意に刺激することが防止される。また、度目調整された編地１００では、端末糸が飛び出すおそれがないため、外観を損ねるおそれがない。
【００３８】
度目調整された編地１００は、編糸が途切れないので、従来の部分着圧製品と比較して、編糸の使用量を削減することが可能であり、生産効率の向上を図ることができる。また、度目調整された編地１００は、編糸が途切れないので、従来の部分着圧製品と比較して、端末糸の飛出し等、外観を損ねるおそれがなく、生地の強度の向上を図ることができる。
【００３９】
（編地、大中小（３段）度目）
次に、第２実施形態に係る編地について説明する。上記実施形態と同じ説明は省略する。図３は、本発明の第２実施形態に係る編地１００Ｂを示す図である。図３に示す編地１００Ｂは、複数の編目として、第１の編目１０１と、第１の編目１０１よりも度目（編目の大きさ）が小さい第２の編目１０２と、第１の編目１０１よりも度目が小さく、第２の編目１０２よりも度目が大きい第３の編目１０３とを有する。すなわち、編目の大きさは、第２の編目１０２、第３の編目１０３、第１の編目１０１の順に大きくなるように設定されている。
【００４０】
編地１００Ｂは、第１の編目１０１からなる第１の度目領域１５１と、第２の編目１０２からなる第２の度目領域１５２と、第３の編目１０３からなる第３の度目領域１５３とを有する。第１の度目領域１５１と第２の度目領域１５２との伸度の差は、２０〜１００％である。第１の編目１０１と第２の編目１０２との大きさの差（Ｌ１０１−Ｌ１０２）は、０．１〜２．０ｍｍである。図３では、第１の編目１０１の大きさをＬ１０１と示し、第２の編目１０１の大きさをＬ１０２と示し、第３の編目１０３の大きさをＬ１０３と示している。
【００４１】
（シンカーの選別駆動による度目制御：３段）
第１の編目１０１の度目は、図４（ａ）に示すように、“編糸９１とシンカー１２０Ｂ（第１シンカートップ１２２）との接点Ｐ１”から“編糸９１と編針１１との接点Ｐ０”までの距離Ｚ１に対応している。第３の編目１０３の度目は、図４（ｂ）に示すように、“編糸９１とシンカー１２０Ｂ（第３シンカートップ１２４）との接点Ｐ３”から“編糸９１と編針１１との接点Ｐ０”までの距離Ｚ３に対応している。第２の編目１０２の度目は、図４（ｃ）に示すように、“編糸９１とシンカー１２０Ｂ（第２シンカートップ１２３）との接点Ｐ２”から“編糸９１と編針１１との接点Ｐ０”までの距離Ｚ２に対応している。すなわち、前進・後退するシンカー１２０を個別に選別することで、シンカー１２０上の編糸９１が乗る位置を変化させ、編目一目毎に度目の大・中・小を任意の位置に選択的に配置することができる。
【００４２】
（編地、大小（２段）度目、裏糸有り）
次に、第３実施形態に係る編地について説明する。上記実施形態と同じ説明は省略する。図５は、本発明の第３実施形態に係る編地１００Ｃを示す図である。図３に示す編地１００Ｃは、第１の編目１０１と、第２の編目１０２とを有する。編地１００Ｃの編目１０１，１０２を形成する編糸９１は、表糸９２及び裏糸９３を含む。
【００４３】
編地１００Ｃの編糸の表糸９２の番手は、綿番手換算で１０番手より細い番手である。編糸１００Ｃの編糸の裏糸９３は、７０デニール以下のポリウレタンを芯糸とするカバリングヤーン、又は捲縮加工を施した１４０デニール以下の合成繊維である。第１の編目１０１と第２の編目１０２との大きさの差は、０．１〜２．０ｍｍである。なお、表糸９２の番手は、綿番手換算で３０〜８０番手であることがより好ましい。裏糸９３は、１０〜４０デニールのポリウレタンを芯糸とするカバリングヤーンであることがより好ましい。また、裏糸９３は、捲縮加工を施した７０〜１１０デニールの合成繊維であることがより好ましい。
【００４４】
第１の編目１０１と第２の編目１０２との大きさの差（Ｌ１０１−Ｌ１０２）は、０．１〜２．０ｍｍである。図５では、第１の編目１０１の大きさをＬ１０１と示し、第２の編目１０１の大きさをＬ１０２と示している。
【００４５】
（第１実施例、着圧ソックス）
次に、第１実施例に係る着圧ソックスについて説明する。図６は、本発明の第１実施例に係る着圧ソックスを示す図である。図６（ａ）は、外側面図、図６（ｂ）は、正面図、図６（ｃ）は、内側面図、図６（ｄ）は、背面図である。
【００４６】
図６に示す着圧ソックス（着圧スパイラスソックス）２０１は、筒状の本体部２０２に、周辺よりも緊締力が強いサポートライン２０３（着圧領域）が形成された靴下であり、このサポートライン２０３の緊締力によって下腿部および足部を圧迫することで、血液循環を向上させてむくみを予防するものである。また、着圧ソックス２０１は、着用者の脚が細く見えるように整容する効果を有する。
【００４７】
本体部２０２は、つま先３１０から膝蓋骨下端３１１にかかる位置まで形成され、下腿部３２３および足部３２１全体を覆う構造とされている。すなわち、本体部２０２は、つま先、足の甲、足裏、足首、かかと、すね、脹脛、膝蓋骨下端を覆うように形成されている。本体部２０２の生地は、伸縮性を有し、例えば、第１の編目１０１（図１参照）からなる平編みを用いた編地によって形成されている。
【００４８】
そこで、本実施形態の着圧ソックス２０１では、同一周囲上において圧迫強度に差が設けられている。なお、圧迫強度とは、着圧ソックス２０１の本体部２０２が、着用者の体部位を圧迫する力の強さの程度を表している。また、圧迫して容積を減少させる効果が顕著である部位は、足首腹側３０３と土踏まず３０２である。そのため、着圧ソックス２０１は、足首腹側３０３と土踏まず３０２を、同一周囲上に配置された緊締部材で加圧せずに、らせん状に配置されたサポートライン（圧迫帯）２０３によって加圧する構成とされている。
【００４９】
次に、サポートライン２０３について説明する。サポートライン２０３は、周辺生地の緊締力と比較して強い緊締力を有する圧迫帯であり、着圧ソックス２０１が着用された状態において、当接する体部位を適度に圧迫するように形成されている。
【００５０】
サポートライン２０３は、伸縮性を抑えることにより緊締力を高めた帯状部であり、本体部２の生地に一体的に設けられている。サポートライン２０３は、第２の編目（度目小）１０２によって形成されている。同一コース内に第１の編目１０１及び第２の編目１０２を形成することで、同一周囲上において圧迫強度に差が設けられている。また、サポートライン（帯状部）の幅は、圧が発生していない状態において、例えば、３．５ｃｍ〜５．０ｃｍ程度とされていることが好ましい。
【００５１】
筒状の本体部２０２は、第１の編目１０１のみから成る第１の度目領域であり、サポートライン２０３は、第２の編目１０２のみから成る第２の度目領域である。本体部２０２（第１の度目領域）と、サポートライン２０３（第２の度目領域）との伸度の差は、２０〜１００％である。例えば、本体部２０２の伸度は、１５０％であり、サポートライン２０３の伸度は、７０％である。上記の伸度は、次式によって、表現することができる。伸度(％)＝[(3.5kg加重時の生地長−無加重時の生地長)/無加重時の生地長]×100
生地長とは、編地の長さである。
【００５２】
サポートライン２０３は、下記の条件を満たすように配置されることが好適である。第１の条件として、サポートライン２０３は、大伏在静脈、伏在神経、及び外側腓腹皮神経を直接圧迫しない体部位を覆うように配置され、らせん状に形成されている。
【００５３】
第２の条件として、サポートライン２０３は、足首腹側３０３を面で圧迫するように配置されている。足首腹側３０３にも、大伏在静脈及び伏在神経が表在しているため、足首腹側３０３にサポートライン２０３を配置すると、静脈・神経を直接圧迫することになる。そこで、足首腹側３０３において体部位への食い込みが生じないように、面で圧迫することが好適である。
【００５４】
第３の条件として、サポートライン２０３は、脛骨の内側（体中心側）に表在している大伏在静脈、伏在神経、腓腹筋の筋腹へ入り込む小伏在静脈、及び外側腓腹皮神経を可能な限り横切らないように配置されている。
【００５５】
第４の条件として、サポートライン２０３は、足先から膝へかけて一連のスパイラルを描くように配置され、脚の軸線方向に対して内巻きのスパイラル形状を成している。
【００５６】
具体的には、サポートライン２０３は、第３又は第４の中足骨の体の足底に対応する位置から始まり、外側を経由して甲３０１に至り、甲３０１から内側を経由して足裏３０２にかけて配置された第１の緊締部２３１と、この第１の緊締部２３１に連続して形成され、足首腹側３０３において外側から内側へ斜め上方に配置された第２の緊締部２３２と、この第２の緊締部２３２に連続して形成され、アキレス腱と下腿三頭筋とを結ぶ筋腱移行部を覆うように配置された第３の緊締部２３３と、この第３の緊締部２３３に連続して形成され、下腿部外側３０５から下腿部腹側３０６へ斜め上方に配置され、膝蓋骨下端腹側まで至る第４の緊締部２３４と、を備えている。サポートライン２０３は、これらの緊締部２３１〜２３４が連続して形成されることで、内巻きのスパイラル形状を成している。
【００５７】
より具体的には、第１の緊締部２３１は、第３又は第４の中足骨の体の足底に対応する位置から始まる。第１の緊締部２３１は、外側方向に巻き上げられ、第５足趾の基節骨、第５の中足骨の頭と体とを覆いながら腹側へ抜け、第１中足骨の体に対応する位置を通り、足裏３０２まで延在している。第１の緊締部２３１は、土踏まず３０２、第５中足骨の粗面を覆いながら腹側へ抜け、第２の緊締部２３２に連続している。甲３０１の部分は、神経や血液が骨によって保護されているため、第１の緊締部２３１によって圧迫してもよい部位である。また、むくみ易い部位である足底静脈（足裏）は、第１の緊締部２３１によって圧迫される。
【００５８】
第２の緊締部２３２は、外側から内側へ斜め上方に延在し、足首腹側３０３を覆うように形成され、第３の緊締部２３３に連続している。そして、他の体部位と比較して軟らかくダメージを受けやすい足首腹側３０３は、第２の緊締部２３２によって面で圧迫される。また、第２の緊締部２３２は、シワがよりにくい構成とされている。
【００５９】
第３の緊締部２３３は、内踝上部を経て、アキレス腱の上部を斜め上方に巻き上げながら延在している。第３の緊締部２３３は、足首背側上部（下腿部背側下部）において内側から外側へ斜め上方に延在し、アキレス腱と下腿三頭筋とを結ぶ筋腱移行部３０４を覆うように形成され、第４の緊締部２３４に連続している。そして、むくみ易い部位である腓腹筋は、第３の緊締部２３３によって、圧迫され、上方へ引き上げられる。なお、下腿三頭筋とは、腓腹筋とヒラメ筋を合わせた体部位を示す名称である。
【００６０】
第４の緊締部２３４は、下腿部外側３０５から下腿部腹側３０６へ斜め上方に配置され、膝蓋骨下端腹側まで延在している。第４の緊締部２３４は、下腿部外側３０５から下腿部腹側３０６、及び膝蓋骨下端腹側を覆うように形成されている。換言すれば、第４の緊締部２３４は、腓骨体外側の中央を（短腓骨筋の筋腹、長腓骨筋の筋腹、前脛骨筋の筋腹の順に）斜め上に向かって横断し、腹側の膝蓋骨を目指して巻き上げられている。第４の緊締部２３４は、腓腹筋の動きに沿って引き上げられ、下方に連続する第３の緊締部２３３を上方に引張り、他の体部位を腓腹筋の動きに連動させることができる。また、第４の緊締部２３４は、大伏在静脈及び伏在神経を圧迫しないように、これらの大伏在静脈および伏在神経が表在している下腿部内側３０７に配置されていない。
【００６１】
サポートライン２０３は、着用者の骨や筋肉の位置に対応するように設けられているため、左右の脚では対称の体部位が圧迫されることになる。また、緊締部２３１〜２３４の幅は、同一でもよく、圧迫される体部位に応じて適宜変更してもよい。例えば、緊締部２３１〜２３４の幅を適宜変更することで、各部位の緊締力を調節することができる。
【００６２】
サポートライン２０３は、足首腹側３０３から足甲３０１を経由して第５趾の付け根まで配置されていることが好ましい。
【００６３】
次に、着圧ソックス２０１の作用について説明する。着圧ソックス２０１は、着用状態において、着用者の体部位に密着し、体部位を好適に圧迫する。着圧ソックス２０１は、らせん状のサポートライン２０３による圧迫力の変化によって、足先から下腿部及び大腿部への血液及びリンパの流れを、補助することになる。一般的に、姿勢を変えずに立つ、または座り続けると脚のむくみは増大する。しかし、着圧ソックス２０１では、着用者が殆ど動かない状態であっても、むくみを減少させる効果を発揮する。さらに、着圧ソックス２０１では、着用者が動いた場合には、むくみを減少させる効果がより一層増大することとなる。
【００６４】
このような着圧ソックス２０１によれば、シンカーの選別駆動により、度目の大小を編目一目単位で選別して、着圧領域（サポートライン２０３）を好適に配置させることができる。
【００６５】
このような着圧ソックス２０１では、上記実施形態に係る編地を備える構成であるため、編目一目を最小単位として、任意の大きさ・位置に部分的な着圧領域が形成されている。着圧ソックス２０１では、着圧を作用させたくない部位に、第１の度目領域が形成され、、着圧を作用させたい部位に、第２の度目領域が形成されている。これにより、本来押圧すべきではない箇所を着圧しないようにすることができる。
【００６６】
着圧ソックス２０１では、着圧領域が編目の構造のままであるため、ニッティングの伸度を備え、ニット製品としての着用感を保ちつつ、張力の差により部分着圧効果を奏することができる。
【００６７】
また、着圧ソックス２０１では、編地（生地）の厚みが一定であるため、着用者が、異物が存在していると違和感を覚えることがない。また、挿入糸などが、肌側にはみだすことがないため、肌の皮脂を傷つけるおそれがない。また、不要な部位に着圧が作用することを防止することができるため、着用者の交感神経を不用意に刺激することが防止される。また、度目調整された編地を有する着圧ソックス２０１では、端末糸が飛び出すおそれがないため、外観を損ねるおそれがない。
【００６８】
度目調整された編地を有する着圧ソックス２０１は、編糸が途切れないので、従来の部分着圧製品と比較して、編糸の使用量を削減することが可能であり、生産効率の向上を図ることができる。また、度目調整された編地１００は、編糸が途切れないので、従来の部分着圧製品と比較して、端末糸の飛出し等、外観を損ねるおそれがなく、生地の強度の向上を図ることができる。
【００６９】
（第２実施例、着圧ソックス）
次に、第２実施例に係る着圧ソックスについて説明する。図７は、本発明の第２実施例に係る着圧ソックスを示す図である。図７に示す着圧ソックス２０１Ｂが、図６に示す着圧ソックス２０１と違う点は、サポートライン２０３Ｂが、複数の大きさの編目から形成されている点である。
【００７０】
サポートライン２０３Ｂは、第２の編目１０２のみから成る第２の度目領域２０４と、第３の編目１０３のみから成る第３の度目領域２０５とを有する。第２の度目領域２０４及び第３の度目領域２０５は、サポートライン２０３Ｂの幅方向（長手方向と交差する方向）において交互に配列されている。これにより、サポートライン２０３Ｂにおいて、例えば、縞模様を形成することができる。
【００７１】
（第３実施例、つまづき防止靴下）
次に、第３実施例に係るつまづき防止靴下について説明する。図８は、本発明の第３実施例に係るつまづき防止靴下を示す図である。図８に示すつまづき防止靴下２０１Ｃは、筒状の本体部２０２Ｃに、周辺よりも緊締力が強い着圧領域２０３Ｃが形成された靴下である。この着圧領域２０３Ｃは、第５趾つま先部付近から足甲を通り、足首腹側まで延在している。着圧領域２０３Ｃは、足甲において足部の幅方向の中心に沿って（図示上下方向に）延在し、つま先において、幅方向の外側に配置されている。
【００７２】
本体部２０２の生地は、伸縮性を有し、第１の編目１０１のみから成る第１の度目領域によって形成されている。着圧領域２０３Ｃは、周辺生地の緊締力と比較して強い緊締力を有する領域であり、第２の編目１０２のみから成る第２の度目領域によって形成されている。
【００７３】
このようなつまづき防止靴下２０１Ｃによれば、着圧領域２０３Ｃが、第２の編目１０２によって形成され、第５趾の付け根近傍から、足甲を通り足首腹側まで形成されているので、第５趾近傍のつま先付近を上方へ持ち上げることができる。これにより、つま先部を斜め上方へ持ち上げるように、足先の姿勢を修正することができ、着用者の転倒を予防することができる。
【００７４】
以上、本発明の実施形態について詳細に説明したが、本発明は、上記実施形態に限定されるものではない。例えば、上記実施形態では、サポートライン２０３がつま先から膝下まで連続して形成されているが、複数個所で分断されているサポートライン２０３（着圧領域）を備える構成でもよい。また、サポートライン２０３が、分岐したり、結合したりするように配置されていてもよい。
【符号の説明】
【００７５】
９１…編糸、９２…表糸、９３…裏糸、１００，１００Ｂ，１００Ｃ…編地（度目調整した編み製品）、１０１…第１の編目（度目大）、１０２…第２の編目（度目小）、１０３…第３の編目（度目中）、１２０…シンカー（２段）、１２２…第１シンカートップ（第１の保持部）、１２３…第２シンカートップ（第２の保持部）、１２４…第３シンカートップ（第３の保持部）、１５１…第１の度目領域、１５２…第２の度目領域、１５３…第３の度目領域、２０１，２０１Ｂ…着圧ソックス、２０１Ｃ…つまづき防止靴下、２０２…本体部、２０３…サポートライン（着圧領域）、２０３Ｃ…着圧領域、２３１…第１の緊締部（着圧領域）、２３２…第２の緊締部（着圧領域）、２３３…第３の緊締部（着圧領域）、２３４…第４の緊締部（着圧領域）、３０１…足甲、３０２…足裏（土踏まず）、３０３…足首腹側。
【図１】
0006010790.tif 000002
【図２】
0006010790.tif 000003
【図３】
0006010790.tif 000004
【図４】
0006010790.tif 000005
【図５】
0006010790.tif 000006
【図６】
0006010790.tif 000007
【図７】
0006010790.tif 000008
【図８】
0006010790.tif 000009